(57)【要約】【課題】機密構造及び防雨構造を得るための部品点数を削減して簡単な構造とし、組み立て作業性を向上させる。【解決手段】ガスメータ１０は、外装ケース１４と本体上ケース１５との間に配置され、外装ケース１４との間に制御部１２を収納する制御部ケース１１を備えている。制御部ケース１１と外装ケース１４との間には弾性部材であるスポンジパッキン１３が備えられる。制御部ケース１１は、スポンジパッキン１３を収納するスポンジパッキン収納スペースを有し、スポンジパッキン収納スペースに収納したスポンジパッキンを本体上ケース１５に押しつけた状態で固定されている。【選択図】図１
2011002235.tif 000002
【特許請求の範囲】
【請求項１】
ガスメータ本体の上側のケースを構成する本体上ケースと、該本体上ケースに取り付ける外装ケースとを備えたガスメータであって、
該ガスメータの機能を制御する制御部と、
前記外装ケースと前記本体上ケースとの間に配置され、前記外装ケースとの間に前記制御部を収納する制御部ケースと、
該制御部ケースと前記本体上ケースとの間に配置される弾性部材とを備え、
前記制御部ケースは、前記弾性部材を収納する弾性部材収納スペースを有し、該弾性部材収納スペースに収納した前記弾性部材を前記本体上ケースに押しつけた状態で固定されていることを特徴とするガスメータ。
【請求項２】
請求項１に記載のガスメータにおいて、
前記制御部ケースは、前記弾性部材収納スペースに複数のボスが配置され、
前記弾性部材は、前記ボスに対応した位置に、前記弾性部材を前記制御部ケースに固定するための複数の固定穴を有し、
前記複数のボスのうちいずれか１つの基準となるボスを中心として、他のボスが該基準となるボスの周囲に配置されていることを特徴とするガスメータ。
【請求項３】
請求項２に記載のガスメータにおいて、
前記基準となるボスの周囲に配置されたボスに対応する位置の前記固定穴は、長穴形状を有し、該長穴の長軸方向は、前記基準となるボスに対応した固定穴と前記長穴形状の固定穴とを結ぶ線に一致していることを特徴とするガスメータ。
【発明の詳細な説明】
【技術分野】
【０００１】
本発明は、ガスメータに関し、より詳細には、屋外に設置するために防雨構造を持ったガスメータに関する。
【背景技術】
【０００２】
屋外に設置されるガスメータとして膜式ガスメータがあるが、膜式ガスメータには、数字車を使用して計量値を表示するメカ式と、液晶で計量値を表示するエレキ式の２種類のものがある。メカ式ガスメータの場合、数字車を回転させるため、ガスメータの本体上ケース内部から数字車部への伝達機構が施されている。また、ガスが充満するメータ内部からガスが漏れないよう気密構造となっている。
【０００３】
図４は、メカ式による従来の膜式ガスメータの構成例を説明する図で、数字車を使用してガスの軽量値を表示するメカ式のガスメータを示すものである。図４において、１００はガスメータ、１０１は外装上ケース、１０２は数字車部、１０３は本体上ケース、１０４はスペーサ、１０５はコルクパッキン、１０６はカウンタ筒、１０７は弾性部材、１０８は制御部、１０９は制御部収納ケース、１１０は外装下ケースである。
【０００４】
ガスメータ１００には、数字車部１０２の数字車を回転させるため、本体上ケース１０３の内部から数字車部１０２への伝達機構が設けられている。伝達機構は、ガスメータ１００の計量室に流入したガスにより往復運動する計量膜の動きを回転運動に変換し、クランク機構によって数字車に伝達するためのものである。また、ガスメータ１００は、ガスが充満するメータ内部からガスが漏れないように気密構造を有している。
【０００５】
スペーサ１０４が本体上ケース１０３に接触する部分には、上記の伝達機構の部分を除いて、コルクパッキン１０５が貼付されている。また、スペーサ１０４には、カウンタ筒１０６と呼ばれる部材が固定され、伝達機構に対して数字車部１０２を気密構造にしている。さらにスペーサ１０４の表面のカウンタ筒１０６の周囲には弾性部材１０７が貼付される。この弾性部材１０７を外装上ケース１０１で固定することにより、数字車部１０２に対する防雨構造が得られるようにしている。また、制御部１０８は、メータ本体の下部で制御部収納ケース１０９の中に納められ、外装下ケース１１０によって保護されて防雨構造を形成している。
【０００６】
ガスメータの機密・防雨構造に関し、例えば、特許文献１では、スペーサに対応するベースに制御部を搭載し、ベースを本体に固定し、ベースを覆う外装ケースを弾性部材を介して固定することにより、気密・防雨構造を得るようにしている。
【発明の概要】
【発明が解決しようとする課題】
【０００７】
上記のように、メカ式の膜式ガスメータの場合は、中間部材のスペーサ１０４に貼付するコルクパッキン１０５と、カウンタ筒１０６の周囲に貼付する弾性部材１０７とが必要であり、かつ、ガスメータの製造時にはこれらを貼付する作業が発生して高価なものとなっていた。また、特許文献１の構成の場合、スペーサに対応するベースが大きくなり、高価なものとなっている。
【０００８】
本発明は、上述のごとき実情に鑑みてなされたもので、機密構造及び防雨構造を得るための部品点数を削減して簡単な構造とし、組み立て作業性を向上させたガスメータを提供することをも目的とするものである。
【課題を解決するための手段】
【０００９】
請求項１の発明は、ガスメータ本体の上側のケースを構成する本体上ケースと、該本体上ケースに取り付ける外装ケースとを備えたガスメータであって、該ガスメータの機能を制御する制御部と、前記外装ケースと前記本体上ケースとの間に配置され、前記外装ケースとの間に前記制御部を収納する制御部ケースと、該制御部ケースと前記本体上ケースとの間に配置される弾性部材とを備え、前記制御部ケースは、前記弾性部材を収納する弾性部材収納スペースを有し、該弾性部材収納スペースに収納した前記弾性部材を前記本体上ケースに押しつけた状態で固定されていることを特徴としたものである。
【００１０】
請求項２の発明は、請求項１の発明において、前記制御部ケースは、前記弾性部材収納スペースに複数のボスが配置され、前記弾性部材は、前記ボスに対応した位置に、前記弾性部材を前記制御部ケースに固定するための複数の固定穴を有し、前記複数のボスのうちいずれか１つの基準となるボスを中心として、他のボスが該基準となるボスの周囲に配置されていることを特徴としたものである。
【００１１】
請求項３の発明は、請求項２の発明において、前記基準となるボスの周囲に配置されたボスに対応する位置の前記固定穴は、長穴形状を有し、該長穴の長軸方向は、前記基準となるボスに対応した固定穴と前記長穴形状の固定穴とを結ぶ線に一致していることを特徴としたものである。
【発明の効果】
【００１２】
本発明によれば、機密構造及び防雨構造を得るための部品点数を削減して簡単な構造とし、組み立て作業性を向上させたガスメータを提供することができる。
特に本発明によれば、制御部を収納するための制御部ケースの裏側に、弾性部材を収納するスペースを設け、弾性部材を介してメータの上ケースに制御部ケースを直接固定することで、従来、スペーサによって気密構造及び防雨構造を施していたものを、部品点数を削除することで安価にすることができ、さらに弾性部材の固定部の形状を中心部から放射状にすることで弾性部材の伸縮を吸収し、弾性部材を容易に固定することが可能となり、これにより、安価で作業性を向上させたガスメータを提供することができる。
【図面の簡単な説明】
【００１３】
【図１】本発明によるガスメータの一実施形態を説明する図である。
【図２】図１に示す制御部ケースの斜視図である。
【図３】制御部ケースに固定するスポンジパッキンの正面図である。
【図４】メカ式による従来の膜式ガスメータの構成例を説明する図である。
【発明を実施するための形態】
【００１４】
図１は、本発明によるガスメータの一実施形態を説明する図で、液晶パネルによってガスの計量値を表示するエレキ式の膜式メータの構成例を示すものである。図１において、１１は制御部ケース、１２は制御部、１３はスポンジパッキン、１４は外装ケース、１５は本体上ケースである。
エレキ式のガスメータの場合、膜式のような数字車がないため、本体上ケース１５の内部から膜の動きを数字車部に伝達するための伝達機構が不要となる。従ってエレキ式の場合、膜式ガスメータのメカ式の制御部収納ケース１０９とスペーサ１０４とを一体化し、制御部ケース１１として構成している。
【００１５】
制御部ケース１１は、制御部１２が搭載され、外装ケース１４との間に制御部１２を収容するように配置される。そして制御部ケース１１は、制御部１２を搭載した側とは反対側にスポンジパッキン収納スペース（弾性部材収納スペース）を設け、スポンジパッキン１３を固定する。スポンジパッキン１３は、本発明の弾性部材に相当するもので、制御部ケース１１に固定された状態で本体上ケース１５に固定される。この状態で外装ケース１４を組付けることにより、スポンジパッキン１３が本体上ケースに押しつけられた状態で固定される。これにより、外装ケース１４と制御部ケース１１との間に配置される制御部１２に対する防雨構造が得られるようにしている。
【００１６】
本実施形態により、図４に示すような従来の膜式ガスメータにおける制御部収納ケース１０９とスペーサ１０４を一体化することで、部品数を削減することができる。また、スポンジパッキン１３を制御部ケース１１のスポンジパッキン収納スペースに簡易固定して組み立てることができるため、接着剤等を用いた貼付け作業を省略することができ、ガスメータを安価で提供することが可能となった。
【００１７】
図２は、図１に示す制御部ケースの斜視図で、図３は、制御部ケースに固定するスポンジパッキンの正面図である。図２に示すように、制御部ケース１１には、スポンジパッキン１３を収納するためのスポンジパッキン収納スペース１７が設けられる。スポンジパッキン収納スペース１７の反対側（ガスメータの前面側）に制御部１２が搭載される。
制御部ケース１１には、複数個のボス１６ａ〜１６ｆが形成されている。これらボス１６ａ〜１６ｆは、図３に示すスポンジパッキン１３の固定穴１６ａ’〜１６ｆ’にそれぞれ対応している。これにより、スポンジパッキン１３の固定穴１６ａ’〜１６ｆ’を制御部ケース１１のボス１６ａ〜１６ｆに嵌め込むことができ、接着剤等を使用する必要なく、制御部ケース１１に対してスポンジパッキン１３を簡易固定することができる。
【００１８】
制御部ケース１１に配置されたボス１６ａ〜１６ｆは、ボス１６ａを基準ボスとし、その基準ボスの周囲に、他のボス１６ｂ〜１６ｆが放射状に配置されている。従って、スポンジパッキン１３においても、固定穴１６ａ’の周囲に、他の固定穴１６ｂ’〜１６ｆ’が放射状に配置される。
【００１９】
スポンジパッキン１３の固定穴１６ａ’に対して放射状に配置される固定穴１６ｂ’〜１６ｆ’は長穴形状とする。また、これら固定穴１６ｂ’〜１６ｆ’の長穴の長軸方向は、固定穴１６ａと各固定穴１６ｂ’〜１６ｆ’とをそれぞれ結ぶ線に一致させる。つまり長穴の長軸方向も基準となる固定穴１６ａ’に対して放射状に配置される。
このような構成により、スポンジパッキン１３が温度変化により伸縮した場合でもその収縮を吸収することができ、これにより、ガスメータの組立作業性を向上させることができる。
なお、本実施形態では基準ボスを１６ａとし、基準ボス１６ａに対応するスポンジパッキンの基準穴を１６ａ’としているが、基準ボスは他の位置にあってもかまわない。
【符号の説明】
【００２０】
１０…ガスメータ、１１…制御部ケース、１２…制御部、１３…スポンジパッキン、１４…外装ケース、１５…本体上ケース、１６ａ〜１６ｆ…ボス、１６ａ’〜１６ｆ’…固定穴、１７…スポンジパッキン収納スペース、１００…ガスメータ、１０１…外装上ケース、１０２…数字車部、１０３…本体上ケース、１０４…スペーサ、１０５…コルクパッキン、１０６…カウンタ筒、１０７…弾性部材、１０８…制御部、１０９…制御部収納ケース、１１０…外装下ケース。
【先行技術文献】
【特許文献】
【００２１】
【特許文献１】特開平０８−２１０８９３号公報
【図１】
2011002235.tif 000003
【図２】
2011002235.tif 000004
【図３】
2011002235.tif 000005
【図４】
2011002235.tif 000006